(57)【特許請求の範囲】
【請求項１】
水粒子放出部と、該水粒子放出部と対向する対向電極と、空気中の水分を結露させることで水粒子放出部に水を供給する結露水生成装置と、水粒子放出部と対向電極との間に高電圧を印加する電圧印加部とを備え、水粒子放出部と対向電極との間に高電圧を印加することで水粒子放出部に保持される水を基にナノメータサイズの帯電微粒子水を生成する静電霧化装置を構成し、この静電霧化装置をトイレルーム内に用いるためにトイレルームの壁面に備えてなる静電霧化装置付きトイレ設備であって、一端側が空気吸入口であり他端側が空気吐出口である空気流路を備え、該空気流路中にフィルタ部を配置し、該フィルタ部の下流側に結露水生成装置を配し、該フィルタ部を通過した空気中の水分が結露水生成装置で結露して水粒子放出部に供給され、水粒子放出部から生成された帯電微粒子水が、結露水生成装置よりも下流側であり且つ空気吐出口よりも上流側である箇所に放出されるように設け、空気流路内に導入された空気が空気吐出口から帯電微粒子水を含む状態でトイレルーム内に向けて放出されることで、トイレルーム内の臭気成分を分解させるようにしたことを特徴とする静電霧化装置付きトイレ設備。
【請求項２】
トイレルーム内への入退室を検知する人体検知センサと、該人体検知センサが人体の退室を検知した際に上記静電霧化装置の運転を開始させる制御部とを備えることを特徴とする請求項１に記載の静電霧化装置付きトイレ設備。
【請求項３】
上記制御部を、上記静電霧化装置の運転開始時点から所定時間経過時点までの初期運転期間内における運転モードと、該初期運転期間以降の他の運転期間内における運転モードとを相違させるものとすることを特徴とする請求項２に記載の静電霧化装置付きトイレ設備。
【発明の詳細な説明】
【技術分野】
【０００１】
本発明は、トイレルーム内に設置されるトイレ設備に関するものである。
【背景技術】
【０００２】
従来から、トイレルーム内においてトイレ使用後の消臭や防カビを図るために、例えば触媒を用いて空気中の臭気成分やカビ類を除去するといった方法が用いられてきた（例えば特許文献１参照）。しかしながら、上記手段は空気中に含まれる臭気成分やカビ類のみが除去の対象であって、壁面等に付着するものまでは対処することができず、したがってトイレ使用後に素早く且つ確実に脱臭や防カビを図ることが困難であるという問題があった。
【特許文献１】特開２００３−３１０７３１号公報
【発明の開示】
【発明が解決しようとする課題】
【０００３】
本発明は上記問題点に鑑みて発明したものであって、トイレルーム内の空気中はもちろん壁面等に付着する臭気成分やカビ類に対してもこれを除去することができ、素早く且つ確実に脱臭や防カビを図ることが可能な静電霧化装置付きトイレ設備を提供することを課題とするものである。
【課題を解決するための手段】
【０００４】
上記課題を解決するために本発明を、水粒子放出部１７と、該水粒子放出部１７と対向する対向電極１５と、空気中の水分を結露させることで水粒子放出部１７に水を供給する結露水生成装置６０と、水粒子放出部１７と対向電極１５との間に高電圧を印加する電圧印加部とを備え、水粒子放出部１７と対向電極１５との間に高電圧を印加することで水粒子放出部１７に保持される水を基にナノメータサイズの帯電微粒子水を生成する静電霧化装置１０を構成し、この静電霧化装置１０をトイレルーム１内に用いるためにトイレルーム１の壁面に備えてなる静電霧化装置付きトイレ設備であって、一端側が空気吸入口２１であり他端側が空気吐出口２０である空気流路２２を備え、該空気流路中にフィルタ部２３を配置し、該フィルタ部２３の下流側に結露水生成装置６０を配し、該フィルタ部２３を通過した空気中の水分が結露水生成装置６０で結露して水粒子放出部１７に供給され、水粒子放出部１７から生成された帯電微粒子水が、結露水生成装置６０よりも下流側であり且つ空気吐出口２０よりも上流側である箇所に放出されるように設け、空気流路２２内に導入された空気が空気吐出口２０から帯電微粒子水を含む状態でトイレルーム１内に向けて放出されることで、トイレルーム１内の臭気成分を分解させるようにしたことを特徴とする静電霧化装置付きトイレ設備とする。
【０００５】
上記トイレ設備の静電霧化装置１０からトイレルーム１内に向けて放出される帯電微粒子水には反応性に富む活性種が含まれ、この活性種により臭気成分の分解やカビ類の除菌及び繁殖抑制に高い効果が発揮される。活性種自身は寿命が短いものの水分子に包み込まれるように存在するために寿命が長くなり、しかも、ナノメータサイズと非常に小さいので空気中に長時間浮遊するとともに拡散性が高くなるので、トイレルーム１内の広い範囲において活性種による脱臭効果やカビ類の除菌や繁殖抑制効果を得ることができ、更に、帯電微粒子水が非常に小さく壁表面の細孔内部に入り込むことが可能であることからトイレルーム１の壁表面に付着した臭気成分やカビ類に対する脱臭効果や防カビ効果も得られる。
【０００６】
また、上記水供給手段として、空気中の水分を結露させることで水の供給を行う結露水生成装置６０を用いたことで、使用者は定期的に水を補給する必要がなくなり、しかも空気中の水分を基に水を得る構造であるから配管構造が不要となる。
【０００７】
また、上記トイレ設備において、一端側が空気吸入口２１であり他端側が空気吐出口２０である空気流路２２を備え、上記空気流路２２中にフィルタ部２３を配置するとともに該フィルタ部２３の下流側に上記静電霧化装置１０を配していることで、空気流路２２中の静電霧化装置１０から帯電微粒子水が放出される箇所において気流中の埃等や臭気成分は既に除去された状態となり、したがって帯電微粒子水が上記埃等に付着することが防止されるので帯電微粒子水の飛散性等が確保される。また、上記静電霧化装置１０の水供給手段として結露水生成装置６０を用いたので、該結露水生成装置６０にて生成される結露水に空気中の臭気成分が溶存することが防止される。
【０００８】
また、上記トイレ設備において、トイレルーム１内への入退室を検知する人体検知センサ４１と、該人体検知センサ４１が人体の退室を検知した際に上記静電霧化装置１０の運転を開始させる制御部とを備えることも好適である。このように、臭気濃度が最も上昇するトイレ使用直後に静電霧化装置１０の運転を開始させることで、脱臭及び防カビを効果的に図ることができる。また更に、上記制御部を、静電霧化装置１０の運転開始時点から所定時間経過時点までの初期運転期間Ｔ１内における運転モードと、該初期運転期間Ｔ１以降の他の運転期間Ｔ２内における運転モードとを相違させるものとすることも好適である。このような制御とすることで、臭気濃度が最も上昇するトイレ使用直後は脱臭及び防カビを素早く且つ確実に図ることのできる運転モードとし、トイレ使用直後を除く時期には電力消費を抑制する運転モードに自動的に切換えることができ、したがって効率的で省電力な運転を行うことが可能となる。
【発明の効果】
【０００９】
本発明は、トイレルーム内の空気中はもちろん壁面等に付着する臭気成分やカビ類に対してもこれを除去することができ、素早く且つ確実に脱臭や防カビを図ることが可能になるといった効果を奏するものである。
【発明を実施するための最良の形態】
【００１０】
以下、本発明を添付図面に示す実施形態に基いて説明する。図１（ａ）には、本発明の実施の形態における一例のトイレ設備全体を示している。本例のトイレ設備はトイレルーム１内に設置されるものであり、トイレルーム１内の床面１ａには水洗便器ユニット２を設置するとともに、該床面１ａから立設される側壁面１ｂには手洗いユニット３を設置している。
【００１１】
上記水洗便器ユニット２は、水洗便器３０上に局部洗浄装置３１を装着させたものである。また、上記手洗いユニット３は、内部に物品を収納可能な下側収納キャビネット４と上側収納キャビネット５とを上下方向に所定の隙間を隔てて設置し、下側収納キャビネット４の上面側にカウンター部６を設けるとともに該カウンター部６に手洗いボウル７や蛇口８を装着させたものであり、上記手洗いユニット３の上側収納キャビネット５の下面には、図１（ｂ）にも示すような静電霧化装置ユニット９をカウンター部６の手洗いボウル７の上方に位置するように設置している。
【００１２】
静電霧化装置ユニット９は図２に示すような内部構造を有しており、外殻を成す本体ハウジング１１内に備えてある静電霧化装置１０から発生するナノメータサイズのイオンのミスト（即ち、後述の帯電微粒子水）を、本体ハウジング１１前面に開口させてある空気吐出口２０からトイレルーム１内に向けて放出するようになっている。上記静電霧化装置１０は、タンク状の水溜め部１２と、多孔質体から成る棒状部材であって水溜め部１２内の水にその基端部１３ａを浸す状態に支持される搬送部１３と、搬送部１３を前記状態に支持するとともに該搬送部１３内に保持される水に電圧を印加する液印加電極１４と、搬送部１３の尖鋭形状を成す先端部１３ｂと対向する位置に配置される対向電極１５と、液印加電極１４と対向電極１５との間に高電圧を印加する電圧印加部（図示せず）とで主体を構成している。
【００１３】
搬送部１３は粒径が２〜５００μｍのセラミック粒子から成り、各粒子間の隙間の細穴が１〜２５０μｍで連続気泡状に配される多孔質部材となっている。また、搬送部１３の先端部１３ｂが本例の水粒子放出部１７となっており、この水粒子放出部１７を含む搬送部１３の先端側半部が液印加電極１４よりも上方に突出し、水粒子放出部１７とは反対側である搬送部１３の基端側半部が液印加電極１４よりも下方に突出してその一部が水溜め部１２内の水に接触するようになっている。液印加電極１４と対向電極１５とは共にカーボンのような導電材を混入した合成樹脂やＳＵＳのような金属で形成しており、対向電極１５は接地させてある。
【００１４】
しかして、多孔質材である搬送部１３が水溜め部１２内の水を基端部１３ａ側から吸収して先端の水粒子放出部１７にまで搬送している状態で、電圧印加部により液印加電極１４と対向電極１５との間に高電圧を印加すると、搬送部１３先端の水粒子放出部１７が液印加電極１４側の実質的な電極として機能し、水粒子放出部１７にまで搬送された水に後述のレイリー分裂を生じさせる。なお、電圧印加部としては５００Ｖ／ｍｍ以上（特に７００〜１２００Ｖ／ｍｍ）の電界強度を与えることができるものが好ましい。
【００１５】
レイリー分裂は、高電圧により大きなエネルギを受けた水が表面張力を超えて分裂を繰返す現象であり、上記レイリー分裂により水粒子放出部１７の水を基にナノメータサイズ（例えば１０〜３０ナノメータ）の粒子径の帯電微粒子水を発生させる静電霧化がなされ、この時、同時に生成された反応性に富む活性種（ヒドロキシラジカル、スーパーオキサイド等の脱臭・除菌の源となる物質）が分裂した水に含まれて空気中に飛び出す。このようにして、水粒子放出部１７から活性種を含んだナノメータサイズの帯電微粒子水（以下、これを単にミストＭという）を発生させるものである。活性種は非常に反応性に富むため、臭気成分の分解やカビ類の除菌及び繁殖抑制に高い効果を発揮するが、その反面、単独で存在する場合には寿命が短いという性質を有する。しかし、上記静電霧化装置１０により生成されるミストＭにおいては活性種が水分子に包み込まれるように存在するために寿命が長くなり、しかも、上記のようにナノメータサイズと非常に小さいので空気中に長時間浮遊するとともに拡散性が高くなるので、空間内の広い範囲において活性種による脱臭効果やカビ類の除菌や繁殖抑制効果を高めることができ、更に、ミストＭはナノメータサイズと非常に小さく壁表面の細孔内部に入り込むことが可能であることから壁表面に付着した臭気成分やカビ類に対しても脱臭効果や防カビ効果が得られるのである。以下に、ミストＭ中の活性種と各種臭気成分との脱臭反応式を示す。
【００１６】
アンモニア：        ２ＮＨ３＋６・ＯＨ→Ｎ２＋６Ｈ２Ｏ
アセトアルデヒド：  ＣＨ３ＣＨＯ＋６・ＯＨ＋Ｏ２→２ＣＯ２＋５Ｈ２Ｏ
酢酸：              ＣＨ３ＣＯＯＨ＋４・ＯＨ＋Ｏ２→２ＣＯ２＋４Ｈ２Ｏ
メタンガス：        ＣＨ＋４・ＯＨ＋Ｏ２→ＣＯ２＋Ｈ２Ｏ
一酸化炭素：        ＣＯ＋２・ＯＨ→ＣＯ２＋Ｈ２Ｏ
一酸化窒素：        ２ＮＯ＋４・ＯＨ→Ｎ２＋２ＣＯ２＋２Ｈ２Ｏ
ホルムアルデヒド：  ＨＣＨＯ＋４・ＯＨ→ＣＯ２＋３Ｈ２Ｏ
なお、上記脱臭反応式において・ＯＨはヒドロキシラジカルを示す。
【００１７】
上記静電霧化装置１０が収納される本体ハウジング１１内には、一端側が空気吸入口２１であり且つ他端側が空気吐出口２０である空気流路２２を形成しており、この空気流路２２中の空気吸入口２１部分にフィルタ部２３を配するとともに、空気吐出口２０よりも所定距離だけ下流側の箇所にはファン２４を配し、空気流入口２１側から空気吐出口２０側へと向けて強制的に空気を流すように設けている。上記静電霧化装置１０は、空気流路２２中であってフィルタ部２３やファン２４よりも下流側であり且つ空気吐出口２０よりも上流側である箇所ＰにミストＭを放出するように、本体ハウジング１１内の空気流路２２の下方に配置させてある。
【００１８】
したがって、静電霧化装置ユニット９に備えてある制御部（図示せず）によりファン２４及び静電霧化装置１０を駆動させると、本体ハウジング１１前面に開口してあるフィルタ部２３付きの空気吸入口２１から、トイレルーム１内の空気がフィルタ部２３により埃や浮遊微粒子や臭気成分が除去された状態で空気流路２２内に導入され、その後に静電霧化装置１０から放出されたミストＭを含ませた状態で空気吐出口２０からトイレルーム１内に戻される。このとき、上記したように非常に小さく長時間浮遊可能であって拡散性の高いミストＭは、空気吐出口２０から外部に向けて生じる気流に乗ってトイレルーム１内の隅々にまで行き渡ることとなり、トイレルーム１内の空間全域において脱臭効果やカビ類の除菌や繁殖抑制効果を発揮し、更に、トイレルーム１壁表面の細孔内部にまでも入り込んで壁表面に付着した臭気成分やカビ類に対しても脱臭効果やカビ類の除菌や繁殖抑制効果を発揮するものである。しかも、静電霧化装置ユニット９内において静電霧化装置１０はフィルタ部２３の下流側に配しているので、空気流路２２中のミストＭが放出される箇所Ｐにおいて気流中の埃等や臭気成分は既に除去された状態にあり、したがってミストＭが上記埃等に付着することが防止されてミストＭの飛散性等を確保することが可能になっている。
【００１９】
本例においては、水粒子放出部１７まで水を供給する為の水供給手段として、水をためるタンク状の水溜め部１２と、先端部１３ｂが水粒子放出部１７であり且つ毛細管現象により該水粒子放出部１７にまで水溜め部１２内の水を搬送する搬送部１３とを備えた構造となっており、更に、この水溜め部１２内に自動的に給水が為されるように自動供給装置４０を設置している。上記自動供給装置４０は、水洗便器ユニット２や手洗いユニット３に水を供給する為にトイレルーム１内に配設してある給水管３２から分岐されたものであってその先端に水溜め部１２に給水を行う給水口３３ａを有する分岐管３３と、分岐管３３の流路途中に配される開閉弁３４と、水溜め部１２内の水位を検知する水位センサ３５とを備え、静電霧化装置ユニット９の制御部によって水位センサ３５の検知結果を基に電磁弁である開閉弁３４を開閉制御するものであり、通常は開閉弁３５を閉状態に保持するとともに水溜め部１２内の水が一定の水位以下となった場合にはこれを検知した水位センサ３５からの信号に基づいて開閉弁３４を一定時間だけ開状態に切換え、水溜め部１２内に一定量の水を供給させる構造としている。上記自動給水装置４０の設置により使用者は定期的に水を補給する必要がなく、しかも給水源としてトイレルーム１内に配設してある給水管３２を利用するので特別な配管構造が不要なものとなっている。
【００２０】
図３には、静電霧化装置ユニット９における静電霧化装置１０及びファン２４の駆動制御について示している。この駆動制御は、電力消費を抑制しながらも効果的な防臭及び防カビを行う為に、人体検知センサ４１が人体の退室を検知した際に該人体検知センサ４１からの信号を受けた制御部が静電霧化装置１０及びファン２４の運転を開始させるものであり、静電霧化装置１０及びファン２４の運転開始時点から所定時間経過時点までの初期運転期間Ｔ１内における運転モードと、該初期運転期間Ｔ１以降の他の運転期間Ｔ２内における運転モードとを、前者の運転期間Ｔ１よりも後者の運転期間Ｔ２の方が運転強度が弱くなるように相違させて設定している。なお、上記人体検知センサ４１は図１（ｂ）に示すように本体ユニット１１表面の空気吐出口２０と空気吸入口２１に挟まれる箇所に設置されているが、人体の入退室を検知可能であれば他の箇所に設置してあっても構わない。
【００２１】
ここで、図示例においては、初期運転期間Ｔ１を退室検知時点から１５分経過時点までの期間とし、このトイレ使用直後である初期運転期間Ｔ１中においては、ファン２４を送風量が２００Ｌ／ｍｉｎとなるように駆動制御し且つ静電霧化装置１０を通電率が１００％になるように駆動制御する「強」運転モードで運転する。そして、初期運転期間Ｔ１を過ぎた後の期間である他の運転期間Ｔ２中においては、ファン２４及び静電霧化装置１０を停止させる期間Ｔ２ａとファン２４を送風量が１００Ｌ／ｍｉｎとなるように駆動制御し且つ静電霧化装置１０を通電率が５０％になるように駆動制御する期間Ｔ２ｂとを１２０分である所定時間毎に交互に繰返す「弱」運転モードで運転する。「弱」運転モードでの運転期間Ｔ２は、次回の退室検知により「強」運転モードでの運転期間Ｔ１が開始されるまで継続させてもよいし、また運転期間Ｔ２開始後に一定時間経過した時点で運転自体を一旦終了して次回の退室を検知した時点で「強」運転モードで運転を再開させるように設定してもよい。
【００２２】
上記のようにトイレ使用直後の運転モードを、ミストＭを大量に発生させ且つ該ミストＭを強い気流に乗せてトイレルーム１内に飛散させる「強」運転モードに設置することで、臭気濃度が最も上昇するトイレ使用直後に素早く且つ確実に脱臭及び防カビを図ることができ、しかも、トイレ使用直後を除く時期はミストＭや該ミストＭを飛散させる為の気流の発生を抑制する「弱」運転モードに自動的に切り替えられるので、電力消費を抑制することが可能なものである。なお、各運転モードは図示例の設置に限定されず、初期運転期間Ｔ１の運転モードが他の運転期間Ｔ２の運転モードよりも運転強度の強いものであれば、他の設定であっても構わない。
【００２３】
次に、本発明の実施の形態における他例のトイレ設備について説明する。なお、上記した一例と同様の構成については詳しい説明を省略し、本例の特徴的な構成についてのみ以下に詳述する。
【００２４】
本例の静電霧化装置ユニット９は、静電霧化装置１０として図４に示す構造のものを組み込むことで、一例のようなタンク状の水溜め部１２や自動給水装置４０の装着を不要にした構造となっている。即ち、本例の静電霧化装置１０は、冷却部５０と放熱部５１とを有するぺルチェユニット５２から成る結露水生成装置６０を水供給手段として備え、結露水生成装置６０の冷却部５０に空気中の水分を結露させることで水の供給を行う構造となっている。
【００２５】
ぺルチェユニット５２は、熱伝導性の高いアルミナや窒化アルミニウムから成る絶縁板の片面側に回路を形成してある一対のぺルチェ回路板５３を、互いの回路側が向い合うように対向させ、多数列設してある熱電素子５４を両ぺルチェ回路板５３で挟持させるとともに隣接する熱電素子５４同士を両側の回路で電気的に接続させ、ぺルチェ入力リード線５５を介してぺルチェユニット用電源５６にて為される熱電素子５４への通電により一方のぺルチェ回路板５３（これを吸熱側のぺルチェ回路板５３ａとする）側から他方のぺルチェ回路板５３（これを発熱側のぺルチェ回路板５３ｂとする）側に向けて熱が移動するように設けたもので、吸熱側のぺルチェ回路板５３ａを冷却部５０に接続させるとともに放熱側のぺルチェ回路板５３ｂをフィン状の放熱部５１側に接続させることで結露水生成装置６０を形成している。
【００２６】
冷却部５０は、内部に結露水を溜めることが可能な水溜め部１２が形成されるように熱伝導性の高い材料を用いて皿状に形成されたものであり、この冷却部５０の内底面上には、上端部が尖鋭形状を成す液印加電極１４を設けている。上記液印加電極１４は、上端部が水粒子放出部１７となるもので、多孔質材で形成されるか又は微細孔や微細溝（図示例では微細孔５６）を形成することで、その下端部の水溜め部１２内に貯水される結露水を毛細管現象にて放電極となる上端部の水粒子放出部１７にまで搬送する搬送部１３としての機能を発揮する構造に設けている。また、水粒子放出部１７を金属で形成すること又は金属製の表面膜を形成することで表面の熱伝導性を高く設けるとともに、該水粒子放出部１７を冷却部５０に熱的に接続されるように取付けることで、水粒子放出部１７の表面に結露水が直接生成されるようにしてもよいし、或いは、一例のように多孔質体から成りその先端に水粒子放出部１７を有する搬送部１３を設け、この搬送部１３に液印加電極１４を接続させる構造としてもよい。
【００２７】
なお、水粒子放出部１７における単位時間当りの水の消費量よりも結露水生成装置６０における単位時間当りの水の生成量が上回る場合には、静電霧化装置１０はその単位時間内においてトイレルーム１の除湿効果も発揮することとなる。冷却部５０にはオーバーフロー孔５７を設けてあり、水溜め部１２内に溜められた結露水が一定水位以上になった場合には、上記オーバーフロー孔５７を通じて余剰水が下方に配してある余剰水貯水タンク５８にまで排水されるようになっている。
【００２８】
次に、本発明の実施の形態における更に他例のトイレ設備について説明する。なお、上記した一例や他例と同様の構成については詳しい説明を省略し、本例の特徴的な構成についてのみ以下に詳述する。
【００２９】
本例の静電霧化装置ユニット９は、一端側が空気吸入口２１であり且つ他端側が空気吐出口２０である空気流路２２を本体ハウジング１１内に備え、上記空気流路２２中の空気吸入口２１部分にフィルタ部２３を配置することともに、該空気流路２２中のフィルタ部２３よりも下流側の箇所に静電霧化装置１０の結露水生成装置６０を配置し、更に、上記結露水生成装置６０より下流側であり且つ空気吐出口２０よりも上流側である箇所ＰにミストＭを放出するように、静電霧化装置１０の搬送部１３や液印加電極１４や対向電極１５等から成る本体部分を配置させてある。上記結露水生成装置６０は他例と同様のぺルチェユニット５２から成り、生成された結露水を搬送部１３下方の水溜め部１２内にまで送り込む構造になっている。また、上記フィルタ部２３は、空気中の埃や浮遊微粒子を除去する為の微細な網目構造を有する集塵フィルタ７０と、空気中の臭気成分を除去する為の活性炭又は触媒を用いた脱臭フィルタ７１とから成り、集塵フィルタ７０の下流側に脱臭フィルタ７１が位置するように配している。
【００３０】
つまり、本例の静電霧化装置ユニット９においては、空気流路２２中に結露水生成装置６０を配することで該結露水生成装置６０に絶えず新鮮な空気を送り込んで結露水を効率的に生成可能になっており、しかも、図６にも示すようにフィルタ部２３、ファン２４、結露水生成装置６０、静電霧化装置１０をこの順に空気流路２２の上流側から下流側に配しているので、ファン２４により送り込まれる空気は結露水生成装置６０に送り込まれる段階で既に埃等や臭気成分が除去された清浄な状態にあり、したがって結露水生成装置６０に埃等が付着蓄積していくことや、結露水生成装置６０にて得られる結露水に空気中の臭気成分が溶存することが防止されるものである。結露水に臭気成分が溶存していた場合には該結露水を基に生成されるミストＭ中にも臭気成分が含まれてしまうが、上記構成とすることでこれを防止しているのである。また、静電霧化装置１０をフィルタ部２３の下流側に位置していることで、静電霧化装置１０から放出されるミストＭが埃等に付着することを防止してミストＭの飛散性等を確保していることは一例と同様である。
【図面の簡単な説明】
【００３１】
【図１】本発明の実施の形態における一例の静電霧化装置付きトイレ設備を示しており、（ａ）はトイレ設備全体の概略斜視図であり、（ｂ）は静電霧化装置を収納する静電霧化装置ユニットの概略斜視図である。
【図２】同上の静電霧化装置ユニットの内部構造を示す説明図である。
【図３】同上の静電霧化装置ユニットの駆動制御を示す説明図である。
【図４】本発明の実施の形態における他例の静電霧化装置付きトイレ設備の、静電霧化装置の構造を示す説明図である。
【図５】本発明の実施の形態における更に他例の静電霧化装置付きトイレ設備の、静電霧化装置ユニットの内部構造を示す説明図である。
【図６】同上の静電霧化装置ユニットの基本構成を示す説明図である。
【符号の説明】
【００３２】
１  トイレルーム
１０  静電霧化装置
１２  水溜め部
１３  搬送部
１４  液印加電極
１５  対向電極
１７  水粒子放出部
２０  空気吐出口
２１  空気吸入口
２２  空気流路
２３  フィルタ部
３２  給水管
３３  分岐管
４０  自動給水装置
４１  人体検知センサ
５０  冷却部
５２  ぺルチェユニット
６０  結露水生成装置
Ｍ  ミスト
Ｔ１  初期運転期間
Ｔ２  他の運転期間
【図１】
0004669248.tif 000002
【図２】
0004669248.tif 000003
【図３】
0004669248.tif 000004
【図４】
0004669248.tif 000005
【図５】
0004669248.tif 000006
【図６】
0004669248.tif 000007